(57)【要約】【課題】側溝本体の上面落ち込み段部と落蓋の接触部をスマートでシンプルな形状に形成して、踏みつけた時の音の発生や跳ね上がりを防止し得るコンクリート落蓋側溝を提供する。【解決手段】上面落ち込み段部に落蓋を載置してなるコンクリート製の落蓋側溝において、側溝本体１の左右両サイドの上面落ち込み段部と落蓋２の接触部をそれぞれ円弧状の凸曲面と凹曲面を連ねた略Ｓ字状の曲面３，３、４，４に形成し、側溝本体１の上面落ち込み段部に形成された略Ｓ字状の曲面３，３に、落蓋２に形成された略Ｓ字状の曲面４，４を、略Ｓ字状の曲面の凸曲面と凹曲面の境界部で接触させ、境界部以外の凸曲面と凹曲面に僅かな隙間をもたせて係合させてなることを特徴とするコンクリート落蓋側溝。【選択図】図１
2005220542.tif 000002
【特許請求の範囲】
【請求項１】
上面落ち込み段部に落蓋を載置してなるコンクリート製の落蓋側溝において、側溝本体の左右両サイドの上面落ち込み段部と落蓋の接触部が、それぞれ円弧状の凸曲面と凹曲面を連ねた略Ｓ字状の曲面に形成され、側溝本体の上面落ち込み段部に形成された略Ｓ字状の曲面に、落蓋に形成された略Ｓ字状の曲面が係合して載置されてなることを特徴とするコンクリート落蓋側溝。
【請求項２】
側溝本体の左右両サイドの上面落ち込み段部に形成された略Ｓ字状の曲面と落蓋に形成された略Ｓ字状の曲面が、凸曲面と凹曲面の境界部で接触し、境界部以外の凸曲面と凹曲面に僅かな隙間をもたせて係合させてなることを特徴とする請求項１記載のコンクリート落蓋側溝。
【請求項３】
側溝本体の左右両サイドの上面落ち込み段部と落蓋の接触部に形成された略Ｓ字状の曲面の凸曲面と凹曲面の境界部が、側溝中心の下方へ斜めにして形成されてなることを特徴とする請求項１又は請求項２記載のコンクリート落蓋側溝。
【請求項４】
側溝本体の左右両サイドの上面落ち込み段部と落蓋の接触部に形成された略Ｓ字状の曲面の凸曲面と凹曲面の境界部の接線角度は水平に対し４５〜８５度で接触させてなることを特徴とする請求項１乃至請求項３のいずれか１項に記載のコンクリート落蓋側溝。
【発明の詳細な説明】
【技術分野】
【０００１】
本発明は、車道や歩道及び各種施設等の側部に排水用として使用されるコンクリート落蓋側溝に関するものである。
【背景技術】
【０００２】
車道や歩道及び各種施設等の側部に排水用として使用されるコンクリート製の落蓋側溝は、排水溝を設けた側溝本体の上面落ち込み段部に落蓋を落ち込ませ、側溝本体の上面落ち込み段部の平坦な面で落蓋の左右両サイドの下面が支持されるように載置されて排水溝の上方が閉塞されているのが一般的である。前記側溝本体や落蓋は型枠の変形やコンクリートの養生（固化）時の歪み及び仕上がり不良等により平坦度が不均一となり、側溝本体の上面落ち込み段部に落蓋を載置した時、上面落ち込み段部の平坦な面とにガタが生じ、車や人が踏みつけた時に騒音が発生する。特に車の往来の激しい車道の側部に施工されるにおいては、その音の発生による騒音が住環境を悪化させたり、振動や踏みつけにより落蓋が位置ずれして片寄り、側溝本体の上面落ち込み段部との間の隙間が開き過ぎて、該隙間に例えば老人が杖先を引掛けたり、女性がハイヒールのかかとを引掛けたりして転倒するなど事故の発生原因にもなっている。
【０００３】
上記問題を解決すべく、本発明者は落蓋を側溝本体にボルトで締め付けて固定するようにしたコンクリート落蓋側溝を提示しており、落蓋を側溝本体に固定することで音の発生が防止されると共に落蓋のずれが防止されて側溝本体の上面落ち込み段部と落蓋との間の隙間を一定に保ち、前記転倒するなどの事故の発生原因をなくすることができたが、製作品目が多く、且つ落蓋の取付け固定に要する手間がかかるなどコストの低減が図れない問題点があった。（特許文献１参照）
【０００４】
又、側溝本体の上面落ち込み段部と側溝蓋との接触面を曲面加工で密着嵌合させることにより、自動車等の通過時に発生する騒音が防止されるようにした騒音の発生しない側溝も開示されているが、側溝蓋と側溝本体の上面落ち込み段部が円弧状の曲面で嵌合して接触しているため、側溝蓋の片端部に偏った荷重を受けると側溝蓋の別端部が回動するようにして跳ね上がるおそれがある。（例えば特許文献２参照）
【０００５】
更に、概略四角板状をなし、長手方向の左右下角部において、斜めに切り欠いた斜面部を部分的に設けた溝蓋と、該溝蓋の斜面部に対応させて側溝本体の上面落ち込み段部に凸の曲面部を形成して、前記斜面部と曲面部とを線接触させると共に、前記溝蓋の斜面部以外に対応する部分の側溝本体の上面落ち込み段部は内向きの縦面と上向きの横面からなる段部で、該横面と溝蓋の底面との間に隙間が形成されるようにして、溝蓋のガタつきによる騒音を防止すると共に溝蓋の跳ね上がりを防止するようにした溝蓋及び側溝も開示されているが、溝蓋が段付きで複雑な形状でスマートでなく、且つ側溝本体の横面と溝蓋の底面との間の隙間で溝蓋が回動すると側溝本体の横面と溝蓋の底面とに打撃音が発生するおそれがある。（例えば特許文献３参照）
【０００６】
【特許文献１】特開２０００−０２１１６８号公報
【特許文献２】特開平６−２４８６８８号公報
【特許文献３】特開２００３−３２８４２５号公報
【発明の開示】
【発明が解決しようとする課題】
【０００７】
本発明は、上記背景技術における問題点に鑑み、振動や落蓋を踏みつけた時に発生する騒音や落蓋の片寄り位置ずれ、及び偏った荷重を受けた時の落蓋の跳ね上がり等を確実に防止し得るコンクリート落蓋側溝をシンプルにして且つ安価に提供することを目的とし、該目的を達成することを課題とするものである。
【課題を解決するための手段】
【０００８】
上記目的を達成するために、本発明は以下に記載するような手段を講じてなるコンクリート落蓋側溝とした。
すなわち、上面落ち込み段部に落蓋を載置してなるコンクリート製の落蓋側溝において、側溝本体の左右両サイドの上面落ち込み段部と落蓋の接触部がそれぞれ円弧状の凸曲面と凹曲面を連ねた略Ｓ字状の曲面に形成され、側溝本体の上面落ち込み段部に形成された略Ｓ字状の曲面に、落蓋に形成された略Ｓ字状の曲面が係合して載置されてなることを特徴とするコンクリート落蓋側溝である。
【０００９】
前記略Ｓ字状の曲面の係合は、側溝本体の左右両サイドの上面落ち込み段部に形成された略Ｓ字状の曲面と落蓋に形成された略Ｓ字状の曲面が、凸曲面と凹曲面の境界部で接触し、境界部以外の凸曲面と凹曲面に僅かな隙間をもたせて係合させてなることを特徴としており、前記凸曲面と凹曲面の境界部で線接触させることにより、落蓋を踏みつけた時の音の発生が防止されると共に、落蓋の片端部に偏った荷重を受けても凸曲面と凹曲面が係合して別端部の跳ね上がりが阻止される。
【００１０】
又、前記側溝本体の左右両サイドの上面落ち込み段部と落蓋の接触部に形成された略Ｓ字状の曲面の凸曲面と凹曲面の境界部が、側溝中心の下方へ斜めにして形成されてなることを特徴としており、略Ｓ字状の凸曲面と凹曲面の境界部を斜めにして線接触させることで、落蓋が側溝本体の上面落ち込み段部にくい込むようにして保持され、落蓋を側溝本体の落ち込み段部に位置ずれなく、しっかりと載置される。
【００１１】
前記側溝本体の左右両サイドの上面落ち込み段部と落蓋の接触部に形成された略Ｓ字状の凸曲面と凹曲面の境界部の接線角度は水平に対し４５〜８５度で接触させてなることを特徴としており、前記凸曲面と凹曲面の境界部の接触を、該接触点での接線角度が好ましくは水平に対し４５〜８５度で接触させるのが効果的である。
【発明の効果】
【００１２】
上記手段にて記載する如く、本発明は上面落ち込み段部に落蓋を載置してなるコンクリート製の落蓋側溝において、側溝本体の左右両サイドの上面落ち込み段部と落蓋の接触部がそれぞれ円弧状の凸曲面と凹曲面を連ねた略Ｓ字状の曲面に形成され、側溝本体の上面落ち込み段部に形成された略Ｓ字状の曲面に、落蓋に形成された略Ｓ字状の曲面が、略Ｓ字状の曲面の凸曲面と凹曲面の境界部で接触し、境界部以外の凸曲面と凹曲面に僅かな隙間をもたせて係合させるようにしたコンクリート落蓋側溝であるから、側溝本体の上面落ち込み段部と落蓋の接触が略Ｓ字状の凸曲面と凹曲面の境界部で線接触して落蓋を踏みつけた時の音の発生が防止されると共に、落蓋の片端部に偏った荷重を受けても凸曲面と凹曲面が係合して別端部の跳ね上がりが阻止される効果を奏する。
【００１３】
又、側溝本体の左右両サイドの上面落ち込み段部と落蓋の接触部に形成された略Ｓ字状の曲面の凸曲面と凹曲面の境界部を、側溝中心の下方へ傾斜させて形成させることにより、略Ｓ字状の凸曲面と凹曲面の境界部が斜めの状態で線接触して、落蓋が側溝本体の上面落ち込み段部にくい込むように保持されるから、落蓋を側溝本体の上面落ち込み段部に位置ずれなく、しっかりと載置される効果を奏する。
【００１４】
更に側溝本体の落ち込み段部と落蓋の接触部を円弧状の凸曲面と凹曲面を連ねた略Ｓ字状の曲面に形成することで、側溝本体と落蓋がスマートでシンプルな形状となり、安価に製作できると共に、落蓋は載置するだけでしっかりと保持されるから固定する必要はなく取付けに手間を要しない。
【発明を実施するための最良の形態】
【００１５】
本発明を実施するための最良の形態は、上面落ち込み段部に落蓋を載置してなるコンクリート製の落蓋側溝において、側溝本体の左右両サイドの上面落ち込み段部と落蓋の接触部をそれぞれ円弧状の凸曲面と凹曲面を連ねた略Ｓ字状に形成し、側溝本体の上面落ち込み段部に形成された略Ｓ字状の曲面に、落蓋に形成された略Ｓ字状の曲面を、略Ｓ字状の曲面の凸曲面と凹曲面の境界部で接触させ、境界部以外の凸曲面と凹曲面に僅かな隙間をもたせて係合させるようにしたもので、前記側溝本体の左右両サイドの上面落ち込み段部と落蓋の接触部に形成した略Ｓ字状の曲面の凸曲面と凹曲面の境界部を側溝中心の下方へ傾斜させた形態とするものである。以下実施例にて図面に基づき説明する。
【実施例１】
【００１６】
図１は、本発明に係るコンクリート落蓋側溝の実施例を示す斜視図であり、側溝本体１の上面落ち込み段部に落蓋２を落ち込ませて側溝本体１の上面と落蓋の上面が略面一にして載置されており、側溝本体１の左右両サイドの落ち込み段部と落蓋２の接触部は略Ｓ字状の曲面３，３と４，４が形成され、側溝本体１の左右両サイドの落ち込み段部に形成された略Ｓ字状の曲面３，３に、落蓋２に形成された略Ｓ字状の曲面４，４が係合するようにして落蓋２は載置されている。
【００１７】
前記側溝本体１の左右両サイドの上面落ち込み段部と落蓋２の接触部に形成された略Ｓ字状の曲面３，３と４，４の係合を、要部断面を示す図２にて説明すると、側溝本体１の上面落ち込み段部に形成された略Ｓ字状の曲面３は円弧状の凸曲面３ａと凹曲面３ｂを連ねた形状となっており、落蓋２の接触部に形成された略Ｓ字状の曲面４は円弧状の凸曲面４ａと凹曲面４ｂを連ねた形状となっていて、凸曲面３ａと凹曲面３ｂの境界部Ｐと、凸曲面４ａと凹曲面４ｂの境界部Ｐで接触させると共に、境界部以外の凸曲面３ａと凹曲面４ｂ、凸曲面４ａと凹曲面３ｂとに僅かな隙間Ｓ１，Ｓ２を設けて側溝本体１の上面落ち込み段部と落蓋２の接触部が係合するようにしてある。
【００１８】
前記境界部Ｐでの接触は、曲面と曲面の線接触であり、平坦面の接触に較べ、当接面積が少なくて接触（当り）が良くなるため、落蓋２を踏みつけた時の音の発生は防止される。凸曲面３ａと凹曲面４ｂ、凸曲面４ａと凹曲面３ｂの間の隙間Ｓ１，Ｓ２は境界部Ｐでの当接面積を少なくして接触（当り）を良くすると共に、１〜３ｍｍ程度の僅かな隙間として、落蓋２の片端部に負荷がかかった時の落ち込みや別端部の跳ね上がりを殆ど実感できない程度の僅量にして阻止するようにしてある。
【００１９】
すなわち、落蓋２の片端部（例えば図２では右端部）に上からの負荷がかかると、境界部Ｐの接触に滑りが生じ、落蓋２の片端部が僅かに落ち込んで凸曲面３ａと凹曲面４ｂの隙間Ｓ１が閉じるように係合して、落ち込みが阻止されると共に、別端部の凸曲面４ａと凹曲面３ｂの隙間Ｓ２が閉じるように係合して、跳ね上がりが阻止されるから、隙間Ｓ１，Ｓ２を僅かにすることで落蓋２の落ち込みや跳ね上がりは僅かとなり、実感するに値しなく、凸曲面と凹曲面の隙間Ｓ１，Ｓ２が境界部Ｐから外側へ順次隙間が少なくなって閉じる音も発生しない。
【００２０】
又、側溝本体１の上面落ち込み段部と落蓋２の接触部に形成された略Ｓ字状の曲面３と４は、その凸曲面と凹曲面の境界部Ｐが、側溝中心の下方へ斜めに形成して係合させてあり、略Ｓ字状の曲面３，４の凸曲面と凹曲面の境界部Ｐにおける接触を斜めにして接触させることにより、落蓋２は側溝本体１の上面落ち込み段部にくい込むようにしてしっかりと保持され、位置ずれなく安定して載置することができる。
【００２１】
前記側溝本体１の上面落ち込み段部と落蓋２の接触部に形成された略Ｓ字状の曲面３，４を斜めに形成して係合させた凸曲面と凹曲面の境界部Ｐにおける接線角度Ｔは４５〜８５度にして接触させるのが効果的である。
【００２２】
図３は、以上のようにしてなる側溝本体１の斜視図である。側溝本体１の左右両サイドの上面落ち込み段部は、円弧状の凸曲面３ａ，３ａと凹曲面３ｂ，３ｂを連ねた略Ｓ字状の曲面３，３にして形成されており、形状はスマートでシンプルとなっている。略Ｓ字状の曲面３，３は、図３の（Ａ）に示すように側溝本体１の左右両サイドの上面落ち込み段部に、長手方向に連続して形成されているが、図３の（Ｂ）に示すように連続して形成された略Ｓ字状の曲面３，３に適宜段落溝５，５，…を設けても良い。
【００２３】
図４は、落蓋２の斜視図であり、前記側溝本体１の左右両サイドの上面落ち込み段部に形成された略Ｓ字状の曲面３，３に係合すべく、円弧状の凸曲面４ａ，４ａと凹曲面４ｂ，４ｂを連ねた略Ｓ字状の曲面４，４が長手方向に形成されていて形状はスマートでシンプルとなっている。落蓋２は側溝本体１に較べ長さは短く、側溝本体１の上面落ち込み段部に複数載置されるのが一般的である。
【産業上の利用可能性】
【００２４】
本発明は、車道や歩道及び各種施設等の側部に施工して使用される排水用としてのみならず、水路や用水路等のコンクリート側溝及び側溝蓋としての利用の可能性もある。
【図面の簡単な説明】
【００２５】
【図１】本発明に係るコンクリート落蓋側溝の実施例を示す斜視図である。
【図２】側溝本体の上面落ち込み段部と落蓋の接触部の係合を示す要部断面図である。
【図３】側溝本体の斜視図である。
【図４】落蓋の斜視図である。
【符号の説明】
【００２６】
１  側溝本体
２  落蓋
３，４  略Ｓ字状の曲面
３ａ，４ａ  円弧状の凸曲面
３ｂ，４ｂ  円弧状の凹曲面
５  段落溝
Ｐ  境界部
Ｓ１，Ｓ２  隙間
Ｔ  接線角度
【図１】
2005220542.tif 000003
【図２】
2005220542.tif 000004
【図３】
2005220542.tif 000005
【図４】
2005220542.tif 000006